(57)【要約】１枚又はそれ以上のシート、例えば、それらの変形温度に加熱された２枚のガラスシートが、これらのシートを輪郭モールドのシート支持表面上に位置決めすることによって、形成される。輪郭モールドと形成部材のプレス面は、シートの周縁を巡る包囲体を設定するために上部シートの周縁部分をプレス面に対して偏倚させるように、互いに相対的に動かされる。真空は、シート間から、そしてシートをプレス面に対して動かすために正圧又は大気圧が印加されるときに、プレス面と隣接したシート表面間から空気を吸引するために、シートの周縁に適用される。随意に、真空はシートの成形中にプレス面内の通路を通して吸引されることができ、そしてシートをプレス面から離れるように動かすために、シートが形成された後に加圧空気は通路を通して動かされることができる。
2007533592.tif 000002
【特許請求の範囲】
【請求項１】
シート曲げ装置であって：
主表面をもつ第１形成モールドを含み、主表面の一部は予定の形成されたプレス面をもつ形成部材を含んでおり；
第２モールドと定義される輪郭形成モールドを含み、第２モールドは離間した端レール間に、１対の離間した端レールと１対の離間した中心レールをもっており、離間した端レール対と離間した中心レール対は、開放領域の回りに境界を限定しておりかつ端レールと中心レールの部分はシート支持表面を提供しており；
第１と第２のモールド間の外壁を含んでおり、外壁は外壁によって限定された境界内にシート支持表面と共に境界を限定しており；
第１位置と第２位置の間で第１と第２のモールドをお互いに関して動かすために第１と第２のモールドのうちの少なくとも一方に作用するエレベータ配置を含んでおり、この場合、上記第１位置では、第１と第２のモールドは互いに離間しており、外壁は第１と第２のモールドの内の少なくとも一方から離間しており、上記第２位置では、第１と第２のモールド及び外壁は、第２モールドのシート支持表面をもつ包囲体を形成しており、そして第１モールドの形成部材は包囲体に面しており、周囲空気は少なくとも開放領域を通して包囲体へ出入りすることが可能であり、そして
包囲体と流体接触した第１端と包囲体外の第２の反対端とをもつ開放領域以外の少なくとも１つの通路を含む、
シート曲げ装置。
【請求項２】
第２モールドの端レールと中心レールが連続していて、連続したシート支持表面を形成している、請求項１に記載の曲げ装置。
【請求項３】
中心レールは所定位置に固定され、端レールは第１位置から第２位置へ旋回するように枢着されており、この場合、第１位置では、端レールと中心レールがシートにほぼ水平の支持を提供し、第２位置では、端レールの端の部分が中心レールより上に持上げられている、請求項１に記載の曲げ装置。
【請求項４】
外壁は、第１モールドの第２の主表面に据え付けられている、請求項１に記載の曲げ装置。
【請求項５】
外壁は、第１モールドの形成部材を取り囲みかつその形成部材から離間している、請求項４に記載の曲げ装置。
【請求項６】
外壁は中心レールと端レールに据え付けられている、請求項１に記載の曲げ装置。
【請求項７】
外壁は、整列配置の１部をもち、第１モールド及び／又は第２モールドは整列配置のもう１つの部分をもっている、請求項１に記載の曲げ装置。
【請求項８】
中心レールと端レールは、“Ｔ”レールと定義される“Ｔ”形横断面をもち、この場合、“Ｔ”レールの水平部材はシート支持表面をもっている、請求項７に記載の曲げ装置。
【請求項９】
外壁は、“Ｔ”レールの水平部材の外表面に連結されていて、“Ｔ”レールから離れるように延びている、請求項８に記載の曲げ装置。
【請求項１０】
外壁は、“Ｔ”レールの水平部材に連結されそして“Ｔ”レールと開放領域から離れるように延びている、請求項８に記載の曲げ装置。
【請求項１１】
シート支持表面は、開放領域に隣接した“Ｔ”レールの水平部材の一部であり、外壁は、開放領域から最も遠い“Ｔ”の水平部材の一部である、請求項８に記載の曲げ装置。
【請求項１２】
中心レールと端レールは、“Ｉ”レールと定義される“Ｉ”形横断面をもち、そして“Ｉ”レールの上端は、シート支持表面であり、外壁は“Ｉ”レールの外側垂直表面に据え付けられた一端をもち、“Ｉ”レールと開放領域から離れるように延びている、請求項６に記載の曲げ装置。
【請求項１３】
第１形成モールドは更に、第１の主表面と第２の反対側の主表面をもつプレート部材を含み、この場合、形成部材をもつ第１モールドの主表面は、プレート部材の第２表面であり、そして形成部材は、プレート部材の第２表面、プレート部材の第１表面の一部上のプレナムから離れるように延び、少なくとも１つの通路は、複数の離間した通路のうちの１つであり、この場合複数の通路のうちの選択されたものは、形成部材から離間した位置で包囲体の内部と流体接触している第１端と、プレナムの内部と流体接触している第２端をもっている、請求項１に記載の曲げ装置。
【請求項１４】
形成モールドは更に、第１主表面をもつプレート部材と、第２の反対側の主表面をもつプレート部材を含み、この場合、形成部材をもつ第１モールドに主表面は、プレート部材の第２の表面であり、そして形成部材はプレート部材の第２表面、プレート部材の第１の表面の一部上のプレナムから離れるように延びており、少なくとも１つの通路は複数の離間した通路のうちの１つであり、この場合、複数の通路のうちの選択されたものは、形成部材の周縁部分に沿った位置で包囲体の内部と流体接触している第１端と、プレナムの内部と流体接触している第２端とをもっている、請求項１に記載の曲げ装置。
【請求項１５】
少なくとも１つの通路は、複数の通路のうちの１つであり、この場合、第１と第２のモールド及び外壁が第２位置にあるとき、通路のうちの選択された１つは、第１モールドの形成部材の少なくとも１つの周縁に隣接した第１端をもち、この場合、通路のうちの選択されたものは、外壁と、外壁の外表面にある又はその外表面を越えて延びる通路のうちの選択されたものの第２端を通過する、請求項１に記載の曲げ装置。
【請求項１６】
少なくとも１つの通路は、複数の通路のうちの１つであり、この場合、通路のうちの選択されたものは、第１と第２のモールドと外壁が第２の位置にあるときに、形成部材の周縁に隣接した第１端をもち、この場合、複数の通路のうちの選択されたものは第２モールドと、第２モールドの外部から出入可能の複数の通路のうちの選択されたものの第２端とを通過する、請求項１に記載の曲げ装置。
【請求項１７】
形成部材はプレス面をもち、少なくとも１つの通路は、複数の通路のうちの１つであり、更に、第２の複数の通路を含み、第２の複数の通路は、形成部材のプレス面に第１端をもち、第２の複数の通路は形成部材を通過する、請求項１に記載の曲げ装置。
【請求項１８】
第２の複数の通路は、第２の反対側の端をもち、更に、第１の複数の通路の第２端上に第１のプレナムを、そして第２の複数の通路の第２端上に第２のプレナムを含む、請求項１７に記載の曲げ装置。
【請求項１９】
第２のプレナムは第１プレナムの内側にあり、第１プレナムは、真空ポンプに導管によって連結され、第２プレナムは、導管によって弁に連結されており、上記弁は第１の開放位置と第２の開放位置をもち、この場合、弁は第１の開放位置で、導管によって真空ポンプに連結され、また、弁は第２位置で加圧流体系統に導管によって連結される、請求項１８に記載の曲げ装置。
【請求項２０】
形成部材のプレス面の上にしっかり据え付けられた網布を更に含み、この網布は、予定距離の間隔を提供するために予定の織り目をもち、この場合、第２の複数の通路の第１端の開口は、第２の複数の通路の第２端に重なる網布の織り目の間隔に等しいか又はその間隔より小さい、請求項１７に記載の曲げ装置。
【請求項２１】
第２の複数の通路は、第１端に対向する第２端をもち、第２の複数の通路のうちの少なくとも１つの通路は、プレス面に第２端の開口より大きい第１端の開口をもち、そして更に第２の複数の通路の少なくとも１つの第２端の開口内に貫通据え付けされた複数の離間した孔をもつプレートを含む、請求項１７に記載の曲げ装置。
【請求項２２】
形成部材のプレス面上にしっかり据え付けられた網布を更に含み、この網布は予定開口の間隔を提供する予定の織り目をもち、この場合、プレート内の孔の開口の寸法は、プレート内の孔に重なる網布内の開口の寸法に等しいか又はそれより小さい、請求項２１に記載の曲げ装置。
【請求項２３】
形成部材はプレス面を含み、更に、第１モールドの形成部材のプレス面上にしっかり据え付けられた網布と、第２モールドの少なくともシート支持表面を含む、請求項１に記載の曲げ装置。
【請求項２４】
第１モールドは加圧ステーション内に据え付けられており、加圧ステーションは上流端と下流端をもち、更に、加圧ステーションの上流端に連結された加熱炉、加圧ステーションの下流端に連結された冷却炉、及び運搬系統を含み、この運搬系統は、加熱熱炉、加圧ステーション及び冷却炉を通して延びていて、第２モールドを加熱炉、加圧ステーション及び冷却炉を通る経路に沿って動かすようになっている、請求項１に記載の曲げ装置。
【請求項２５】
加圧ステーションは更に、第１モールドを加圧ステーション内の運搬系統の一部に向かったり離れたりするように動かす上部の細長いロッドと、第１モールドに向かったり離れたりするように動くことができる下部の細長いロッドを含む、請求項２３に記載の曲げ装置。
【請求項２６】
経路に沿って運搬系統によって動くことができるキャリジを更に含み、この場合、第２モールドは、第２モールドを加熱炉、加圧ステーション、及び冷却炉を通して動かすために、キャリジ上に据え付けられており、この場合、加圧ステーション内へ動かされるキャリジは第１位置にあり、そして下部の細長いロッドは、第２モールドを第１モールドへ向かって動かして、第２モールド、第１モールド及び外壁を第２位置に位置決めする、請求項２５に記載の曲げ装置。
【請求項２７】
第１モールドと第２モールドは、加圧ステーションに据え付けられており、加圧ステーションは、上流端と下流端をもち、更に加圧ステーションの上流端に連結された加熱炉、上記炉の下流端に連結された冷却炉、加熱炉と冷却炉を通して延びるシート運搬系統、及び上流側のシート移送装置を含み、上記移送装置は、加熱炉内の運搬系統の一部の上の位置から第２モールドの上の位置まで動くように据え付けられている、請求項１に記載の曲げ装置。
【請求項２８】
第２モールドの上の位置から、冷却炉内の運搬系統の一部の上の位置までの間を移動するために据え付けられた下流側移送装置を更に含む、請求項２７に記載の曲げ装置。
【請求項２９】
外壁、入口端、出口端、入口ドア及び出口ドアをもつチャンバを含み；
チャンバ内に据え付けられた第１形成モールドを含み、第１形成モールドは、予定の形成されたプレス面をもつ形成部材をもつ主表面をもち；
第１モールドに対して対面関係でチャンバ内に据え付けられた第２モールドと定義された輪郭形成モールドを含み、第２モールドは、１対の離間した端レールと、離間した端レール間の１対の離間した中心レールをもち、この場合、端レールと中心レールの部分は、シート支持表面の境界内に開放領域をもつシート支持表面を提供し；
シート受け入れ位置とシート加圧位置の間で互いに相対的に第１と第２のモールドを動かすために第１と第２のモールドのうちの少なくとも１つに作用するエレベータ配置を含み、上記シート受け入れ位置では第１と第２のモールドは、互いに離間しており、上記シート加圧位置では，第１と第２のモールドは、第１位置にあるときよりは互いに接近しており；更に、
加圧チャンバの内部に連結された真空ポンプを含み、そして
形成レールと空気供給源に連結された反対端との間に開放領域に連結された一端をもつ導管を含む、シート曲げ装置。
【請求項３０】
形成モールドにおいて、
形成された加圧面と反対側の主表面とをもつ形成部材を含み、
形成部材を通して延びる少なくとも１つの通路を含み、上記通路は、加圧面で終端する一端と主表面で終端する反対端をもち、端は予定の開放領域をもつ加圧面で終端し、そして
加圧面を覆う布を含み、この場合、布の一部は、形成部材の加圧面で終端する通路の端に重なっており、この場合、通路の端に重なっている部分にある布の織り目の開放領域は、通路の予定の開放領域と等しいか又はそれより大きい予定の開放領域をもっている、形成モールド。
【請求項３１】
シートを曲げる方法において、
１つ又はそれ以上のシートの積重ね体の第１の主表面として限定される主表面の周縁部分に掛合し；
形成部材のプレス面に対して第２の主表面として限定されるシートの積重ね体の反対側の主表面を動かし、
プレス面と第２の主表面の間から空気を少なくとも吸引するために、積重ね体の周縁に真空を適用し、
同時に、
シートの積重ね体を予定形状に曲げるために、形成部材のプレス面に対して積重ね体を偏倚させるために第１の主表面に圧力を適用する工程、
を含むシートを曲げる方法。
【請求項３２】
シートはガラスシートであり、積重ね体は２枚のカラスシートの積重ね体であり、更に、下記の工程、すなわち、
掛合工程の実施の前に、シートの積重ね体をそれらの変形温度に加熱し、そして、
シートが予定形状に曲げられた後に、真空工程の適用と圧力工程の適用の実施を中断し、そして、
形成されたシートをプレス面から転移させ、そして
形成されたガラスシートを制御可能に冷却する工程を実施すること、
を含む請求項３１に記載の方法。
【請求項３３】
プレス面に対して第２の主表面の中心部分を偏倚させるためにプレス面を通して真空を吸引し、この場合、上記転移させる工程は、形成部材のプレス面からシートを離すように動かすために、第２の主表面の中心部分に対して加圧空気を移動させる工程を含む、
請求項３２に記載の方法。
【請求項３４】
積層された自動車窓を提供するために、形成されたガラスシートを積層させる工程を更に含む、請求項３２に記載の方法。
【請求項３５】
第２の主表面の中心部分をプレス面に対して偏倚させるために、プレス面を通して真空を吸引する工程を更に含む、請求項３３に記載の方法。
【請求項３６】
シートが予定形状に曲げられた後に、真空工程を適用する工程、真空工程を吸引する工程及び圧力工程を適用する工程の実施、及び
形成されたシートをプレス面から離れるように動かすために、加圧され加熱された空気を、形成されたシートの第１の主表面の中心部分に対して動かし、そして、
形成されたガラスシートを制御可能に冷却する工程の実施、
を中断する請求項３５に記載の方法。
【請求項３７】
請求項３４の方法に従って作られた自動車窓。
【発明の詳細な説明】
【技術分野】
【０００１】
本発明は真空印加設備をもつ装置と、１つ又はそれ以上のシート、例えば積層されるべき１対のガラスシートを曲げるために真空を使用する方法に関し、更に特に、本発明は重力たるみ曲げ、プレス曲げ及び負の空気圧の組合せによって１対のガラスシートを同時成形することに関する。
【背景技術】
【０００２】
より複雑な湾曲とより深いたるみをもつフロントガラスを得るという自動車設計者の希望と、フロントガラスが予定の表面プロフィルにその全範囲に亘って適合するという要求は、より厳重な公差をもつより困難な成形ガラス部品を製作することをガラス製作者に要求する。かかる複雑な形状は、車輌のスタイリング目的のために、また、燃料節約のために、例えば空気抵抗を減らすために望まれる。これらの目的を達成するために、ガラス部品の形状は、成形されたガラスシート、例えば成形された積層フロントガラスは、フロントガラスを湾曲した据え付け台の形状と同化させるように自動車車体の部品を成形する湾曲した据え付けフレーム内に据え付けられることを可能になす厳密な公差に適合することが要求される。
【０００３】
“ガラスシートを曲げるための装置と方法”についてＪａｍｅｓ  Ｎ．Ｓｃｈｗａｒｔｚ等の名儀の２００３年１１月１２日出願の米国特許出願第１０／７０６，８８４号は、たるみ曲げ、プレス曲げ及び静的空気圧によってガラスシートを複雑な形に形成すると同時に、シートを形成する曲げ作業の間に生じるガラスシートの傷あと付きを最小限にする圧力印加設備をもつリング又は輪郭モールドの使用を開示している。上述の特許出願に開示されたモールド配置は、１つ又はそれ以上のガラスシートを今日の複雑な形状及び光学的基準に合うように形成する能力をもつが、限度はある。更に特に、輪郭モールドへの変更と、静的空気圧を適用するための設備は、曲げ設備のコストへ追加の出費を加える。
【発明の開示】
【発明が解決しようとする課題】
【０００４】
ガラスシート形成の当業者によって認められることができるように、１つ又はそれ以上のガラスシートを複雑な形状に形成すると同時に、シートを形成する曲げ作業の間に生じるガラスシートの傷あと付きと光学的欠陥を最小限となす安価な装置と方法を提供することは有利であろう。
【課題を解決するための手段】
【０００５】
本発明は、シートを、例えば１対の加熱したガラスシートを曲げる装置に関するものであるが、本発明はこれに限定されるものではない。本装置は、主面をもつ第１の形成モールドを含み、主面の一部は、予定の形成されたプレス面をもつ形成部材を含み、更に、輪郭又は周辺形成モールド、例えば第２モールドを含み、この第２モールドは１対の離間した端レールと、離間した端レール間の１対の離間した中心レールをもつ。対をなす離間した端レールと対をなす離間した中心レールは、開放した領域の回りの境界を限定し、端レールと中心レールの部分は、シート支持面と第１及び第２モールド間の外壁を提供する。外壁は境界内にシート支持面をもつ境界を限定する。エレベータ配置は、第１と第２のモールドの少なくとも１つに作用して、第１と第２のモールドをお互いに関して、第１位置へ動かしそして第２位置へ動かし、第１位置では、第１と第２のモールドはお互いに離間しておりかつ外壁が第１と第２のモールドの内の少なくとも１つから離間しており、上記第２位置では、第１と第２モールド及び外壁が包囲体を形成し、この包囲体は、第２モールドのシート支持面と、包囲体に面する第１モールドの形成部材をもつ。周囲空気は少なくとも開放領域を通して包囲体内へ移動できる。開放領域より他の少なくとも１つの通路は、包囲体と流体接触している第１端と、包囲体の外側の第２の反対端をもつ。
【０００６】
本発明の非限定的実施例では、第２実施例の端レールと中心レールは、連続しており、連続したシート支持面を形成し、または、中心レールは所定位置に確保されており、端レールは第１位置から第２位置へ旋回するように枢着されており、この第１位置では、端レールと中心レールはシートをほぼ水平に支持し、第２位置では、端レールの端の一部が中心レールより上に持ち上げられるようになっている。
【０００７】
本発明は、第１モールドの第２主面に据え付けられた外壁を含み、外壁は形成部材を包囲しかつこの形成部材から離間しており、及び／又は外壁は中心レールと端レールに据え付けられている。非限定的実施例では、外壁は整列配置の一部をもち、第１モールド及び／又は第２モールドは整列配置のもう１つの部分をもつ。
【０００８】
レールの形状は、本発明に限定することなく、中心レールと、“Ｔ”レールと定義される“Ｔ”形横断面をもつ端レールを含むことができ、“Ｔ”レールの水平部材はシート支持面をもつ。外壁は、“Ｔ”レールの水平部材の外面に連結されることができ、そして“Ｔ”レールと開放領域から離れるように延びるか、または外壁は“Ｔ”レールの垂直部材に連結されることができ、そして“Ｔ”レールと開放領域から離れるように延びる。シート支持面は、開放領域に隣接した“Ｔ”レールの水平部材の一部とすることができる、そして外壁は開放領域から最も遠い“Ｔ”の水平部材の一部とすることができる。
【０００９】
本発明のもう１つの非限定的実施例では、中心レールと端レールは、“Ｉ”レールと定義される“Ｉ”形横断面をもち、そして“Ｉ”レールの上端はシート支持面であり、外壁は“Ｉ”レールの外部垂直面に据え付けられた１端をもち、そして“Ｉ”レールと開放領域から離れるように延びる。
【００１０】
第１形成モールドの非限定的実施例は、第１の主面と第２の反対の主面をもつプレート部材を含み、この場合、形成部材をもつ第１モールドの主面は、プレート部材の第２面であり、形成部材はプレート部材の第２面、プレート部材の第１面の一部の上のプレナム（ｐｌｅｎｕｍ）から離れるように延び、少なくとも１つの通路は、複数の離間した通路の１つであり、この場合、複数の通路のうちの選択されたものは、形成部材から離間した位置で包囲体の内部と流体接触している第１端と、プレナム（ｐｌｅｎｕｍ）の内部と流体接触している第２端をもち，第１形成モールドは更に、第１主面をもつプレート部材と、第２の反対の主面をもち、この場合、形成部材をもつ第１モールドの主面はプレート部材の第２面であり、形成部材はプレート部材の第２面から離れるように延びる。プレナムは、プレート部材の第１面の一部を覆い、そして少なくとも１つの通路は、複数の離間した通路のうちの１つであり、複数の通路のうちの選択されたものは、形成部材の周縁部に沿った適所で、包囲体の内部と流体接触した第１端と、プレナム内部と流体接触した第２端をもつ。
【００１１】
通路の非限定的実施例は、複数の通路を含み、この場合、通路のうちの選択されたものは、第１と第２のモールドと外壁が第２位置にある時に、第１モールドの形成部材の周縁に隣接した第１端を持ち、この場合、通路の選択されたものの本体は、外壁と、外壁の外面にあるかまたはそれを超えて延びる通路の選択されたものの第２端を通過する。もう１つの非限定的実施例では、第１と第２のモールドと外壁が第２位置にあるとき、通路の選択されたものは、形成部材の周縁に隣接した第１端をもつ。この場合、複数の通路のうちの選択されたものの本体は、第２モールドを通過し、そして複数の通路の選択されたものの第２端は、第２モールドの外部からアクセス可能である。
【００１２】
形成部材の非限定的実施例は、プレス面をもつ形成部材を含み、そして少なくとも１つの通路は第１の複数の通路のうちの１つであり、更に第２の複数の通路を含む。第２の複数の通路は、形成部材のプレス面に第１端をもち、通路の本体は、形成部材を通過する。第１プレナムは第１の複数の通路の第２端と流体連通しており、第２プレナムは、第２の複数の通路の第２端と流体連通している。第２プレナムは第１プレナムの内部にあることができるか、または、第１と第２のプレナムは、互いに相並んでいることができる。第１プレナムは真空ポンプまたは真空送風機へ導管によって連結され、第２プレナムは、導管によって、第２真空ポンプまたは真空送風機へ連結されるか、または、代案として、第１開放位置と第２開放位置をもつ弁へ連結され、この場合、第１開放位置の弁は導管によって真空送風機へ連結され、第２位置の弁は加圧流体系統へ導管によって連結される。
【００１３】
本発明のもう１つの非限定的実施例では、第１モールドは、加圧ステーションに据え付けられ、この加圧ステーションは上流端と下流端及び加圧ステーションの上流端に連結された加熱炉をもつ。冷却炉は、加圧ステーションの下流端に連結され、そして搬送系統は、加熱炉、加圧ステーション及び冷却炉を通して延びて、第２モールドを加熱炉、加圧炉及び冷却炉を通る経路に沿って動かす。加圧ステーションは更に、上部往復ロッド、例えば、第１モールドを加圧ステーション中の搬送系統の一部へ行き来するように動かすためのピストンまたはパイプと、第１モールドへ行き来するように動くことができる下部ピストンを含む。第２モールドは、第２位置の加圧ステーション内へ行く経路に沿って搬送系統によって動かされるキャリジ上に据え付けられる。その後、下部ピストンは、第２モールド、第１モールド及び外壁を第１位置に位置決めするために第２モールドを第１モールドに向かって動かす。
【００１４】
本発明は更に、外壁、入口端、出口端、入口ドア、及び出口ドアをもつチャンバを有するシート曲げ装置に関する。第１の形成モールドはチャンバ内に据え付けられ、上記第１形成モールドは、主面をもち、また、形成部材をもち、この形成部材は、予定の形成されたプレス面をもつ。第２モールドと定義されるアウトライン形成モールドは、第１モールドに対面する関係で、チャンバ内に据え付けられており、第２モールドは、１対の離間した端レールと１対の離間した中心レールを離間した端レール間にもち、この場合、端レールと中心レールの部分は、シート支持面の境界内に開放領域をもつシート支持面を提供する。エレベータ配置は、第１と第２のモールドのうちの少なくとも１方に作用して、第１と第２のモールドを互いに相対的にシート受け入れ位置へ、そしてシート加圧位置へ動かす。この場合、上記シート受け入れ位置では第１と第２のモールドは互いに離間しており、また上記シート加圧位置では第１と第２のモールドは、第１位置にあるときより互いにより接近している。真空ポンプまたは真空送風機は、加圧チャンバに連結され、そして導管は、形成レールと反対端の間で開放領域へ連結された一端をもち、反対端は空気供給源へ、例えばチャンバ外の大気へ連結される。
【００１５】
本発明は更に、加圧モールド、例えば、プレス面上にしっかり据え付けられた網布をもつ上述の第１形成モールドに関する。網布は端間に予定の間隔をもち、その場合、第２の複数の通路の第１端は、第２の複数の通路の第２端の上にある網布の間隔に等しいか又はそれより小さい。１非限定的実施例の、第２の複数の通路は、第１端の反対側に第２の端をもち、そして第２の複数の通路のうちの少なくとも１つの通路は、プレス面に第２端開口より大きい第一端開口をもち、そして、更に、第２の複数の通路のうちの少なくとも１つの第２端開口内に据え付けられた貫通した複数の離間した孔をもつプレートを含む。
【００１６】
更に、本発明は、１つ又はそれ以上のシートの積重ね体の第１主面として定義される主面の周縁部分に係合し、第２の主面として定義されるシートの積重ね体の反対側の主面を形成部材のプレス面に対して動かし、プレス面と第２主面間から少なくとも空気を引くために積重ね体の周縁へ真空を適用し、同時に、シートの積重ね体を予定形状へ曲げるために、積重ね体を形成部材のプレス面へ偏倚させるよう、圧力例えば大気圧又はより高い圧力を第１主面に印加することによって、単数又は複数のシートを曲げる方法に関する。
【００１７】
本発明のもう１つの非限定的実施例では、シートが形成された後、それらのシートは積層された自動車窓を提供するために積層される。
【００１８】
本発明は更に、曲げ装置を使用して作られた自動車窓及び本発明の方法を実施することに関する。
【実施例】
【００１９】
本発明は、例えば、フロントガラス用の、積重ねられた１対のガラスシート又はダブレットを同時に形成するために、１つまたはそれ以上の柔軟なシートを曲げ及び／又は形成することに関するが、本発明はこれに限定されるものではない。シートを曲げ及び／又は形成する当業者によって認められる如く、本発明は、任意数の任意の熱軟化可能のシート材料を形成することを実行することができ、その場合、シートが精密にかつ正確に形成され、そしてシートの曲げ及び／又は形成中のシートへのマーク付けが、除去されないにしても最小限にされることが望まれる。以下の説明において１対のガラスシートの同時曲げ及び／又は形成は、重力たるみ曲げ、プレス曲げ及び負圧適用の組合せによって行なわれるが、本発明はそれらに限定されず、ガラスシートの曲げ及び／又は形成は、負圧のみを使用することによって、及び／又は任意の曲げ及び／又は形成設備またはプロセスとの組合せで行なうことができる。
【００２０】
本発明の非限定的実施例の以下の説明において、“内部”、“外部”、“左”、“右”、“上”、“下方”、“水平”、“垂直”等の如き場所的または方向的用語は、図面に示されているので、本発明に関係があるものである。しかし、本発明は、種々の代わりの方位とることができるのは言うまでもない。従って、かかる用語は限定を意味するものと考えるべきでない。更に、本明細書及び請求の範囲で使用されている寸法、物理的特性等を示すすべての番号は、“約”という用語によってすべての場合に、変更されるものと考えられるべきである。従って、反対を表示しなければ、以下の明細書と請求の範囲に示した数値は、本発明の実施によって得られると考えられる所望の性質に従って変わり得るものである。少なくとも、及び請求の範囲と同等の理論の適用を限定する試みとしてではなく、各数字パラメータは、少なくとも報告された重大な数値の数を考慮して、そして普通のラウンディング（ｒｏｕｎｄｉｎｇ）技術を適用することによって解釈されるべきである。更に、本文中に開示されたすべての範囲は、ここに包含される任意のかつすべてのサブレンジ（部分範囲）を含むものと理解すべきである。例えば、提示された範囲“１対１０”は、最小値１と最大値１０間の（およびそれらを含めて）任意のかつすべてのサブレンジ、すなわち、１又はそれより多い最小値で始まりかつ１０又はそれより小さい最大値で終わるすべてのサブレンジ、及び例えば、１乃至６．３、又は５．５対１０、又は２．７対６．１間内のすべてのサブレンジを含むと考えるべきである。また、ここで使用されている如く、“に位置決めされる”又は“に支持される”ような用語は、上に位置決めされる又は、上に支持されることを意味するが、かならずしも、直接表面接触することではない。例えば、形成レール“上に位置決めされた”ガラスシートは、シートとレールの表面間に置かれた１つ又はそれ以上の他の材料の存在を排除しない。
【００２１】
更に、本発明の非限定的実施例の議論では、本発明は他の実施例にも可能であるので、本発明は、示されかつ議論された特定の実施例の細部にその適用が限定されないのは勿論である。更に、本文中で使用される用語は、説明用のものであって、限定用のものではなく、また他の意味を指さないのであれば、同じ数字は同じ要素を指すものとする。
【００２２】
一般に、本発明は、なかんずく、モールド、例えば上部モールドのプレス面に固定した関係で１つまたはそれ以上のシート、例えば１対の積重ねられたガラスシートを囲む包囲体を提供し、そしてプレス面と隣接したガラスシートの表面間から空気を排出して、ガラスシートを上部モールドのプレス面に対して偏倚させて、ガラスシートを形成する装具と方法に関するものである。説明を目的とし本発明を限定するものでない偏倚作用は、上部モールドのプレス面と隣接シートの表面間の負圧の結果であり、相対的正圧がプレス面から最も遠いガラスシート面に作用する。後述する本発明の好適な非限定的実施例では、本発明の実施中、包囲体は、上部モールド、輪郭又はリングモールド、上部と下部モールド間の外壁、及び輪郭モールドの形成レール上に支持されたシートによって提供される。後述する本発明の好適な非限定的実施例では、包囲体を提供する装置の構成要素は、上部モールド、輪郭又はリングモールド、上部と下部のモールド間の外壁である。シートの存在無しでは、下部モールドのシート支持面は、開放領域を限定する境界として作用する。認められるように、本発明は、装置の構成要素の方位または場所に限定されず、例えば、上部モールドは下部モールドとすることができ、包囲体は後述するように、曲げステーションとすることができる。
【００２３】
図１，２を参照すれば、上部形成モールド２０と下部リング又は輪郭モールド２２が示されており、これらは、本発明の実施に使用され、１対の加熱されたガラスシート、例えば上部ガラスシート２４と下部ガラスシート２５を曲げる及び／又は形成するものである。明らかなように、本発明は、任意の特定の上部モールド及び／又は下部リング又は輪郭モールド設計に限定されず、また、任意の上部モールド及び／又は下部リング又は輪郭モールド設計は、本発明の実施及び／又は機能の達成及び要素の協同において使用されることができる。
【００２４】
上部形成モールド２０は、複数の離間した“Ｚ”形固定部材３２（２つの部材３２が図２に明示されている）によってプレート部材３０に固定された形成部材２８を含み、この固定部材は、１つ又はそれ以上のねじ３６によって、プレート部材３０に固定された外脚３４と、図１と２に示す如く、形成部材２８の周縁部分４０を受け入れるために、プレート部材３０と共に溝３９を形成する他の外脚３８をもつ。プレート３０は連続した周囲側壁４１をもち、この周囲側壁は上部モールドチャンネル４２を提供するために形成部材２８を囲みかつこの形成部材から離間していて、流体、例えば空気、ガス等をプレート部材３０内の通路を通して形成部材２８から離れるように移動させる。通路４４はプレート部材３０を通して延びて、上部モールドチャンネル４２と、プレート部材３０上に据え付けられて固定されたプレナム４６の内部との間に流体連通を提供する。流体、例えばガス及び／又は空気を導管４８（図１を参照）を通して引くことによって、真空がプレナム４６内に設定され、上記導管は１端がプレナム４６に連結され、他端が真空設備（図１０を参照）に連結される。以下の説明では、流体は空気とされるが、しかし、当業者に認められるように、流体は、任意のガス組成をもつ任意の種類のガス及び／又は空気とすることができる。
【００２５】
形成部材２８は下部プレス面４９を含み、また、好適ではあるが本発明に限定することなく、金属又はセラミックプレス面を含む。プレス面４９は連続した領域を覆う。その輪郭は下部モールド２２上に支持されたガラスシート２４と２５の輪郭より僅かに大きい。上部モールド２０の上部形成部材２８の下向きのプレス面４９は、立面図で下向きにほぼ凸面であり、すなわち、図２に示される如く固体の凸面であり、プレス面の形状は、ガラスシート２４と２５の周囲を巡る所望のガラス面の輪郭と、ガラスシートの中心領域の所望の輪郭を限定する。ガラスシートに与えられるべき形状の複雑さに依存して、プレス面４９は更に、所望の横向きの曲げ成分に従うために、ガラス焼きなまし炉（後述する）の長さ方向に立面図で、Ｓ−形曲げ成分を含むことができる。
【００２６】
プレス面４９は、耐熱性の布又は金属織物５０の１つ又はそれ以上の層で覆われることができる（図２を参照）。この織物は、熱ガラスシート、例えば、プレス曲げ作業中に形成部材と接触するガラスシート２４の表面に傷あとを付けない。本発明に限定しないけれども、１非限定実施例では、プレス面４９は、Ｂｅｋａｅｒｔ  Ｆｉｂｒｅ  Ｔｅｃｈｎｏｌｏｇｉｅｓ，Ｍａｒｉｅｔｔａ，ＧＡ．から市場入手可能のステンレス鋼編みのプレス布＃３ＫＮ／Ｃ３の１層で覆われた、Ｇｌａｓｓ  Ｔｅｃｈ，Ｐｅｒｒｙｓｂｕｒｇ，ＯＨ，から市場入手可能の繊維ガラスプレス布＃Ｓ−１ＮＳ７Ｌ９００６２３０１の１層で覆われる。
【００２７】
図１，２に示される下部リング又は輪郭モールドは、連続形成レール５２、すなわち連続中心部分５６と端部分５８をもちかつシート支持面５４をもつ固定レール輪郭モールドである。シート支持面５４は、立面図と輪郭において、曲げられるべきガラスシート２４と２５のためのガラスシート周辺の僅かに内に望まれる長手方向及び横の高さ形状に従う。固定されたレール輪郭モールドは当業者には周知であり、更なる説明は必要ないと思われるが、固定レール輪郭モールド関連の更に詳細な議論については、米国特許第３，８４６，１０４；４，２６０，４０８；４，２６０，４０９及び４，２６５，６５０を参照することができる。これらの特許の開示は参考として本文に援用する。輪郭モールド２２は、キャリジ５１がシートを形成するために整列させられるときに、例えば、プレス曲げステーション内に整列させられそして輪郭モールド２２が処理位置内にあるときに、モールドの幾何学的中心が上部形成モールド２０の幾何学的中心とほぼ整列させられるように、キャリジ５１に相対的に位置決めされる。これについては以下で詳述する。図１，２に示す本発明の非限定的実施例では、輪郭モールド２２は、キャリジ５１の横支柱６２間に延びる複数の横部材６０によってキャリジ５１に支持されて固定され、この場合、横支柱６２は１対の離間した支柱６４と、横部材６０によって離間関係に維持されている。輪郭モールド２２は、横部材６０に固定され、横部材６０は任意の便利な又は通常の手法で、支柱６２に固定される。
【００２８】
図１，２に示す如く、形成レール５２の外部周縁は周囲側壁６６をもち、この周囲側壁はガラスシート２４，２５の周縁６７と協働して、ガラスシート２４，２５の回りにチャンネル６８を提供する。上部モールド２０の周囲側壁４１と、輪郭モールド２２の周囲側壁６６は所定の寸法をもっていて、上部と下部のモールドの側壁４１と６６が図２に示すように夫々互いに接触しており、支持面５４はシート２４と２５を、プレス面４９と、輪郭モールド２２の側壁６６、形成レール５２の形成面上に支持されたガラスシート２４と２５に対して動かし、そして上部モールド２０は包囲体７２（図２に示されている）を形成する。更に特に、包囲体の内部は、ガラスシート２４，２５、形成レール５２、輪郭モールド２２の側壁６６、上部モールド２０のプレート部材３０の側壁４１によって境界付けられる。導管４８を通して真空吸引される時、空気は導管４８、プレナム４６、通路４４、及び包囲体７２を通して吸引されて、包囲体７２内に負の空気圧が設定される。当業者に認められるように、本発明はゲージ圧測定値を用いてチャンバ内の圧力を測定することに限定されない。更に特に、ゲージ圧は、一局部的大気、即ち測定がなされている大気の圧力はゼロ圧力（平方インチゲージ当たり（ｐｓｉｇ）のポンド）であると仮定される。本発明は、絶対圧力を使用してチャンバ内の圧力を測定することを企図している。即ち、完全真空の圧力はゼロであり、そして１気圧は、海水面で、平方インチ当たり絶対圧力（ｐｓｉａ）１４．７ポンドである。
【００２９】
負の空気圧が包囲体７２内に設定されているので、空気は形成部材２８のプレス面４９と上部シート２４の間から及びシート２４と２５の間から引かれる。包囲体内の負圧力は、下部シート２５の下部表面７４とガラスシートのすべての他の表面間の正味圧力差をもたらす。表面７４上の圧力はより高く、従ってガラスシート２４と２５を形成部材２８のプレス面４９に対して上向きに押圧または偏倚させて、ガラスシートを形成し又はその形成を完了させるようにする。プレス面４９に対してシート２４と２５を偏倚させることはまた、シート間に及び形成部材のプレス面４９とシート２４の間に空気があるとすれば、その空気の除去を助ける。
【００３０】
当業者に認められるように、シートがプレス面からより遠く離れておればおる程、プレス面に対してガラスシートを押圧する包囲体内の負圧力は高くなる。本発明に限定はしないが、本発明の実施においては、上部と下部のモールドの側壁４１と６６が夫々、図２に示すように、互いに接触してい状態で、支持面５４がシート２４と２５の周縁をプレス面４９に対して動かすような寸法になっている上部モールド２０の周囲側壁４１と輪郭モールド２２の周囲側壁をもつのが好適である。
【００３１】
本発明は、形成レール５２の周囲側壁６６と上部モールドのプレ−ト部材３０の周囲側壁４１の配置と協働に限定されない。例えば、図３乃至６には、本発明の実施に使用することができる種々の形式の本発明の非限定的実施例が示されている。
【００３２】
図３の実施例は、周囲側壁と形成レール８２の無いプレート部材８０を示し、この形成レールは、上部モールド８８と下部モールド９０が曲げ及び／又は形成位置にあるときに包囲体８６を形成するのに十分な高さをもつ周囲側壁８４をもつ。図４に示すもう１つの非限定的実施例では、上部モールド９３のプレート部材９２は、連続溝９４をもち、下部形成モールド９８の形成レール９６は、包囲体（図４には示されていない）を形成するためにプレート部材９２の溝９４内に嵌入する厚さをもつ周囲側壁１００をもつ。
【００３３】
当業者によって認められるように、下部リング又は輪郭モールド、例えば図１と２中の下部モールド２２、図３中の下部モールド８２、及び図４中の下部モールド９８は、キャリジ５１によって位置決めされて、下部モールドの幾何学的中心は、下部リング又は輪郭モールドがより詳細に後述するように加圧位置を占めるとき、上部形成モールドの幾何学的中心とほぼ整列させられ、例えば、図１と２中の上部モールド２０、図３中の上部モールド８８、及び図４中の上部モールド９３とほぼ整列させられるようになる。上部モールドの幾何学的中心を下部輪郭モールド２２の幾何学的中心と精密に垂直整列させるために、単数又は複数の側壁及び／又はモールドは、整列配置を備える。図４において、整列配置は下部モールド９８の周囲側壁１００と、上部モールド９３のプレート部材９２内の溝９４を含む。
【００３４】
図５を参照すれば、本発明のもう１つの非限定的整列配置が示されている。図５では、下部リング又は輪郭モールド１０６の連続周囲側壁１０４の表面１０２は連続又は非連続の棚部１０８を備えており、また、上部モールド１１４の周囲側壁１１２の表面は、連続又は非連続の溝１１６を備えている。溝１１６は、好適にはしかし本発明をそれに限定することなしに、上部と下部のモールド１０６と１１４が側壁１０４と１１２の表面１０２を動かして夫々互いに接触させるように夫々互いの方に向かって動かされるときに棚部１０８を着座させる逆円錐形をもつ。
【００３５】
包囲体の単数又は複数の周囲側壁は上部及び／又は下部のモールド上に据え付けられ必要はない。更に特にまた図６に示されている如く、本発明の非限定的実施例は、夫々加圧ステーションに据え付けられた上部及び下部表面１２４内のピン受け入れ孔１２２を備える周囲リング１２０を含む。上部モールド１２８のプレート部材１２７と、下部モールド１３０の形成レール１２９は、ピン１３２を備え、これらのピンは、下部と上部のモールドが包囲体を提供するために互いの方に向かって動かされるときに、リング１２０の孔１２２内へ入る。
【００３６】
ここに認められる如く、上述した整列配置は、本発明に限定するものではなく、更に特に、下部モールド上に設けられたピンと棚部は上部モールド上に使用されることができる。更に、他の実施例の整列ピン又は他の周知形式の当業者に周知の整列配置は後述される加圧作業中に下部リング又は輪郭モールドに関して上部モールドを位置決めするために使用される。
【００３７】
ここに認められるように、包囲体から空気を引くための通路は、プレ−ト部材、例えば、プレート部材３０（図２）又はプレート部材１２７（図６）を通して設けられなければならないことはない。例えば、しかし本発明に限定することなく、通路は、周囲側壁を通して備えられることができる。例えば、しかし本発明に限定することなしに、側壁１２０内の通路１３３は図６に又は下部モールドを通して示され、例えば、しかし本発明に限定することなく、下部モールド１３０内の通路１３５は図６に示される。プレナム（図示せず）は、必要に応じて、側壁１２０又は１３５の外面上に据え付けられることができる。プレナムは図６に示された上部モールド１２８の通路４４のために設けられたプレナム４６に類似することができる。
【００３８】
図７乃至９を参照すれば、本発明の非限定的実施例はシート２４と２５を形成するために関節結合する形成リング又は輪郭モールドを使用するものとして議論されだろう。図７に示す上部モールド１４０は連結された導管４８をもつプレナム４６と、プレス表面１４４をもつ形成部材１４２を含み、このプレス面は任意の便利な手法で、例えばクランプ１４６によって、所定位置に保持された織物５０で覆われている。関節結合リングまたは輪郭モールド１４８は、１対の離間した中心レール１５４（図７には１つのみを示す）を支持する複数の直立した調節可能の部材１５２をもつリング支持部材１５０を含む。各レール１５６と１５８は夫々ピボット１６０と１６１に枢着される。関節結合する形成輪郭モールドは当業者には周知であり、端レールの連結に関して更なる議論は必要であるとは考えられない。しかし関節結合する形成輪郭モールドの更なる議論については、米国特許第４，５９７，７８９号を参照することができる。この特許の開示内容はここに参考として援用する。
【００３９】
当業者には既知の如く、平らなガラスシート２４と２５が関節結合リングモールド１４８上に置かれ、端レール１５６と１５８が水平またはシート受け入れ位置（図７に実線で示されたシート受け入れ位置にある端レール１５６と１５８）にシート２４と２５の剛性によって、押さえ付けられている。シートが例えば後述する手法で加熱されると、シートは軟化し、釣り合い錘１６３と１６４が端レール１５６と１５８を夫々持ち上げる（持ち上がった端レール１５６と１５８の端部分は図７に点線で示されている）。シート２４と２５は、今は、端レール１５６及び１５８と、リングモールド１４８の中心レール１５４のシート形成表面上に支持される（図８と９を参照）。リングモールド１４８が後述する手法で、上昇するにつれて、リングモールド１４８の周壁部分１６６がプレス表面１４４の周囲部分１６８に掛合する（掛合は図７の点線で示されている）。端レールと中心レール、端レールと中心レール上に支持されたガラスシート及び上部モールドのプレス表面は包囲体１７０を形成する。空気はプレート部材１７４とプレス表面１４４を通過する通路１７２を通して包囲体１７０から引かれ、前述の如くシートを形成するために、シート２４と２５をプレス表面上の織物５０に対して偏倚させる。
【００４０】
認められ得る如く、本発明の実施においては、側壁は真空設備に加わる負荷を減らすために連続しているのが好適である。しかし本発明は、それに限定されず、側壁は連続しているとする必要はない。更に特に、関節結合モールドの側壁は、ピボット点１６０と１６１に中断部をもち、それ故不連続である。本発明の実施において、端レール１５６と１５８及びピボット点１６０と１６１における中心レール１５４間の間隔は、包囲体１７０から空気を引く間の空気漏れを減らす寸法にすることができる。本発明に限定はしないが、約１／８乃至１／４インチ（０．３２乃至０．６４センチメートル）の範囲内の間隔が本発明の実施においては、許容できる。認められる如く、追加の金属が、モールド閉鎖体上に重なって、有効に間隔を除去するために、追加されることができる。
【００４１】
図８と９を参照すれば、本発明の非限定的実施例では、関節結合する又は固定されたレール形成モールドの形成レールは、図８に示す如く、“Ｉ”形ビーム支持レール１７６か又は図９に示す如く“Ｔ”形支持レール１７８をもつことができる。図８を特に参照すれば、周壁１６６は、“Ｉ”形ビーム形成レールのシート支持端１８０の下に、“Ｉ”形ビーム形成レールに固定された、例えば、関節結合の形成モールドの中心レールと端レール及び形成モールドの固定レールに固定された一側１７９をもち、そして、包囲体を提供するために、図８に示される如く、プレス面１４４に対して掛合させかつ偏倚させるための又は図３に示す如くプレート部材８０に掛合するための他側１８２をもつ。図８に示される周囲壁１６６は、ほぼ“Ｌ”形横断面をもつが、認められる如く、壁１６６の横断面形状は本発明に限定されることなく、例えば本発明のもう１つの非限定的実施例では、壁は横断面で、図８に破線で示す如く、或る半径をもっている。
【００４２】
さて、図９を参照すれば、ガラスシート２４と２５を支持する“Ｔ”形支持レール１７８の水平部材１８４は、延長部１８６をもち、この延長部は包囲体１７０を提供するために織物５０をプレス面１４４に対して掛合させかつ偏倚させる。
【００４３】
さて認められる如く、本発明は下部輪郭モールド及び／又は上部モールドが作られる手法に限定されることなく、モールド成分の寸法は、上述の如く真空が引かれる包囲体を提供する。例えば、本発明の非限定的１実施例では、形成レールと側壁は、１／８インチステンレス鋼バーから形成され、この場合側壁は形成レールに溶接される。もう１つの非限定的実施例では、レールと側壁は一体とされて、１／８インチステンレス鋼シートから形成され、この場合、各側壁の縁は、織物被覆されたプレート部材またはプレス表面に掛合するように指定される。更に、１／８インチステンレス鋼バーは切断され、折る曲げられることができ、又は、別法として、形成レールのシート支持面のための所望の高さ輪郭を提供するように形成されることができる。
【００４４】
更に、認められる如く、側壁を提供するために図１乃至９に示される固定形成レールリングモールド及び関節結合形成リングモールドに追加される延長部の配置は包囲体を形成するために、お互いに相互交換可能である。その包囲体からは、シートを上部モールドの織物被覆されたプレス面に対して偏倚させるために空気が引き出されるようになっている。
【００４５】
図１０を参照すれば、包囲体から空気を除去するのを助けるために、上部モールド２０のプレス面４９に対してシートを偏倚させるために（図２も参照されたい）、通路１９２が形成部材２８内に設けられることができ、プレス面４９と、ガラスシート２４及び２５、例えばシート２４の上面の間から空気を除くために、この形成部材２８を通して空気を引出す。真空が引かれるプレス面内に孔をもつことに関係があるのはガラスシート、特にシート２４の上面がガラス面内に孔マーキング（ｍａｒｋｉｎｇｓ）をもつことができることである。本発明の１実施例では、孔マーキングは、布または、プレス面４９を覆うワイヤメッシュ又は布５０の織り内の開口に等しいか又はそれより小さいプレス面内の通路開口をもつことによって、除去される。例えば、Ｂｅｋａｅｒｔ  Ｆｉｂｒｅ  Ｔｅｃｈｎｏｌｏｇｙ，Ｍａｒｉｅｔｔａ，Ｇａ．から市場で入手し得るステンレス鋼編みプレス布＃３ＫＮ／Ｃ３を使用した約０．０２０インチ又はそれより小さい直径をもつ通路は、ガラス表面に、例えばガラスシート２４の上面に目に見える孔マーキングを残すことは期待されない。
【００４６】
形成部材内の通路１９２がガラスシートとプレス面間の真空を引くためだけに使用される場合には、通路１９２はプレナム４６内に延び入ることができそして通路４４と共に作動することができる。通路１９２が別のプロセス作業に使用されるときには、例えば、真空を引くために、またはガラスシートをプレス面から離すために加圧空気を動かすために使用されるときには、他の流体流れ配置が作られるべきである。更に特に、非限定的流体流れ配置は、真空を引くためにまたは、通路１９２を通過する形成ガラスシートの冷却と破砕を防止するために加圧空気、好適には加熱された加圧空気を動かすために、図１０に示されている。図１０を更に参照すれば、サブプレナムまたは第２プレナム１９３が、プレナム４６内に据え付けられて、通路１９２をもつ上部モールド２０のプレート部材３０の一部に重なっている。この配置では、プレート部材３０を通過する通路４４は、プレナム４６の内部と、図２の包囲体７２又は前述の如く図８と９の１７０との間の連通を提供する。通路１９２は、プレス面４９から、形成部材２８とプレート部材３０を通して、サブプレナム１９３の内部１９４へ延びて、サブプレナム１９３の内部１９４と包囲体７２間の連通を提供する。更に特に、シートが形成モールドのプレス面に当接しているとき、通路１９２はプレス面とシート間の空気を排出する。覆われたプレス面からシートを外すための加圧空気の使用は、織物５０に接触するガラスシートの上部主面がセラミックペイント縁取り又は他の装飾模様をもちそしてペイントが織物に付く傾向があるときには有利である。
【００４７】
図１０に示すように、サブプレナム１９３は、導管１９８によって二方弁１９６に連結される。二方弁１９６は、導管２００によって、加圧空気供給源２０２、好適には加熱加圧ガス系統に、そして真空設備２０６、例えば真空ポンプまたは真空送風機に導管２０４によって連結される。プレナム４６に連結された導管４８もまた、真空設備２０６に連結される。本発明の１非限定実施例では、前述の如く、シート加圧作業の間に、真空が導管４８、プレナム４６、通路４４及び導管７２を通して引かれ、そして真空が導管２０４、弁１９６、導管１９８、サブプレナム１９３、通路１９２、及び包囲体７２を通して引かれる。シート加圧作業の後に、真空設備２０６は導管４８と２０４から遮断され又は外され、そして弁１９６は、導管１９８を導管２００へ連結するために動かされ、加熱加圧された空気供給源２０２は導管２００、弁１９６、導管１９８、サブプレナム１９３を通して加圧空気を動かし、通路１９２はプレス面４９から形成シートを離すように動かされる。認められ得る如く、プレナム４６と１９３は、異なった真空レベルをプレナムへ適用するために、別の真空源へ連結することができる。
【００４８】
認められるように、サブプレナム１９３と通路１９２によって覆われた領域は本発明に限定することなしに、そして作用されるべき形成部材２８のプレス面４９の領域、例えば真空下または空気圧下に置かれるべき領域の関数である。更に本発明は、通路１９２を通って移動する空気の圧力及び／又は温度に限定されない。圧力は、形成ガラスシートとプレス面間の任意の真空又は付着を破るのに十分とすべきである。要求はされないが、プレス面４９からシートを離すために通路１９２を通るように向けられる空気は好適には、例えば加熱前にそれが曝された温度より下の温度で空気とそれらが接触することからもたらされるガラスシートに加わるどんな熱衝撃をも回避するように、加熱されるが、しかし、本発明をそれには限定せず、温度は、形成ガラスシートの冷え（ｃｈｉｌｌｉｎｇ）及び／又は破砕を防止するように十分高くすべきである、例えば、５３８℃（１０００°Ｆ）。更に、加圧空気温度はガラスシートをそれらの非熱−変形可能状態に冷やすために使用されることができる。本発明の１非限定的実施例では、空気は３７１℃乃至６２１℃（７００°Ｆ乃至１１５０°Ｆ）の温度に加熱される。
【００４９】
認められ得る如く、本発明は、通路４４と１９２の開口の寸法及び通路４４と１９２が上部モールド内に設けられる手法に限定されない。例えば、包囲体内から真空を引くのに使用される通路４４は、上述の如く、ガラスシートを覆われたプレス面に対して動かして偏倚させるために、プレス面とガラスシート２４の間及びガラスシート２４と２５の間により低い圧力を提供する寸法にされる。通路とチャンバを通る真空によって引かれる流速（ｒａｔｅ  ｏｆ  ｆｌｏｗ）は、シートがプレス部材に対して偏倚させられそして空気が形成レールと上部モールドの周囲を通して移動して入るときに、例えば、関節結合したリングモールドの端部分と中心部分内の分離部を通して、ガラスシートと形成レール間の間隙を通して、定常状態で包囲体内に移動する空気の速度に等しいだろう。本発明の実施においては、−４０インチ水の真空が１／４インチ（０．６４センチメートル（“ｃｍ”））の直径をもつ通路を通してかつ１．０インチ（２．５４ｃｍ）の中心対中心間隔で引かれた。通路は、任意の便利な穿孔技術を用いて、形成部材、例えば、形成部材２８とプレート部材、例えばプレート部材３０を通して、作られることができる。
【００５０】
形成されるべきシートの中心領域内の形成部材を通る通路１９２は、覆われたプレス面に対してシート周辺間のシート部分を偏倚させるために真空が通路を通して引かれるとき、ガラスシート表面を、例えば、シート表面内の孔マークを結合させることを防止する寸法にされる。１非限定的実施例では、プレス面にある通路１９２の開口の寸法は、プレス面を覆う布の織物内の開口に等しいか又はそれより小さい。例えば、０．０２０インチの孔開口は、繊維ガラスプレス布＃Ｓ−１ＮＳ７Ｌ９００６２３０１の２層を含む織物と共に使用するために許容できる。上記プレス布は、Ｇｌａｓｓ  Ｔｅｃｈ，Ｐｅｒｒｙｓｂｕｒｇ，ＯＨ．から市場入手可能であり、ステンレス鋼編みされたプレス布＃３ＫＮ／Ｃ３の２層間に挟まれており、上記プレス布は、ガラス表面上の孔マーク付きを防止するために、Ｂｅｋａｅｒｔ  Ｆｉｂｒｅ  Ｔｅｃｈｎｏｌｏｇｉｅｓ，Ｍａｒｉｅｔｔａ，ＧＡ．から市場入手可能である。
【００５１】
通路１９２は、任意の手法で形成部材内に設けられることができる。例えば、１非限定的実施例では０．０２０インチ直径をもつ通路は、プレート部材と形成部材を通して穿孔されることができるが、放電機械として既知の技術を用いる本発明に限定はしない。図１１と１２を参照すれば、もう１つの非限定的実施例では、同心の中心をもつ１対の孔２１２，２１４が、上部モールド２０内に穿孔される。孔２１４より小さい直径、例えば１−１／４インチ（３．１６ｃｍ）をもつ孔２１２は、プレート部材３０と、形成部材２８を通して延びて、プレス面４９から約０．１０インチ（０．２４ｃｍ）で終わる。１−１／２インチ（３．８１ｃｍ）をもつ孔２１４は、孔２１２の端からプレス面４９まで延びる。プレート２１６（図１２に明示されている）は０．０２０インチ直径をもつ複数の孔２１８をもち、任意の手法で孔２１４内に例えば、摩擦嵌合、又は溝・タブ配置によって固定される。次いで、プレート２１６の表面は、表面輪郭４９に合うように軽く機械加工される（図１０を参照）。認められるように、本発明は、上部モールド内の通路の数に限定しないで、数と間隔は、シートをプレス面を離すために通路を通して引かれる真空及び／又は動かされる圧力の量に依存する。更に、通路１９２は塗装された表面部分をもつ深所又はＳ形湾曲部又はシートをもつシートの領域内でプレス面とガラスシート間から真空を引くように有利に置かれることができる。通路１９２を通して真空によって引かれる空気量又はそれを通して動かされる加圧空気量は、本発明に限定することなく、閉じ込められた又はゆっくり動く空気をシート間から除去するように、又は覆われたプレス面にシートを保持する真空又は粘着力を破るように、選択される。
【００５２】
認められるように、複数の通路１９２は、プレス面上の深い湾曲位置で真空を引くために使用されることができるが、ガラスシートが塗装領域をもたないプレス面上の位置では真空を引かない。プレス面からシートを離すのを助けるために、加圧空気は、通路を通してプレス面上の深い湾曲位置でかつガラスシートが塗装領域をもつプレス面上の位置で、通路を通して動かされる。
【００５３】
図１３に示す如く、形成レール５２のガラス支持表面５４は、１つ又はそれ以上の軟質の、耐熱性の、可撓性の織物又は金属布２２２の１つ又はそれ以上の層で覆われることができる。それらの金属層は、以下でより詳細に説明するように、下部モールド２４の形成レール５２上に支持されている間、またはプレス曲げ作業の間に、熱ガラスシートに傷あとを付けない。可撓性織物は更に、ガラスシート２５の底面とレール５２の支持表面間に従順な支持を提供して、湾曲作業の間に真空がプレナム４６及び／又はサブプレナム１９３に適用されるとき、下部シート２５の外側周縁部分と形成レール５２の支持面５４の間から空気が引かれるのを制限するガスケット又はシールを形成する。また、織物２２２は、ガラスシートと形成レール５２の支持表面間に絶縁表面を提供して、それらの間の伝導熱の伝達速度を遅くする。織物は、支持表面５４が完全に覆われることを確実にするために、連続した周囲側壁４１の外面に巻かれて固定される。１非限定的実施例では、形成レール５２の支持表面を単に覆うよりはむしろ、織物は、形成レール５２の内周によって限定される下部モールドの開放部分全体を横切って延びる。織物はぴんと張られるか、又はシートの中心部分より下のスペース内でたるまされる。更に特に、湾曲作業が、プレス曲げの前にガラスシートのたるみ曲げを含むとき、織物はたるまされる。本発明の１非限定的実施例では、織物は、Ｂｅｋａｅｒｔ  Ｆｉｂｒｅ  Ｔｅｃｈｎｏｌｏｇｉｅｓ，Ｍａｒｉｅｔｔａ，ＧＡから市場入手可能のステンレス鋼編みのプレス布＃３ＫＮ／Ｃ３の１層によって覆われた、Ｇｌａｓｓ  Ｔｅｃｈ，Ｐｅｒｒｙｓｂｕｒｇ，ＯＨから市場入手可能のガラス繊維のプレス布＃Ｓ−１ＮＳ７Ｌ９００６２３０１の１層を含む。
【００５４】
当業者によって認められる如く、ガラスシート２４と２５は、シートの曲げ及び／又は形成の前に任意の手法で、熱軟化させられることができる。本発明の次の非限定的実施例では、ガラスシートは、図１４Ａと１４Ｂに示される加熱、形成及びガラス焼鈍炉２３０内で加熱、形成及び焼鈍される。ガラス焼鈍炉２３０は、負荷領域２３２で上流に流れ始め、そしてトンネル型配列の加熱領域２３４、加熱領域２３４の下流側の重力曲げ領域２３６、重力曲げ領域２３６を直ぐ越えたプレス曲げ又は形成ステーション２３８、焼鈍領域２４０を含み、この領域はプレスステーション２３８への接近を可能にするドア２４２と、形成ステーション２３８を越えたドア２４３（図１５を参照）、及びガラス焼鈍炉の下流側部分で端と端を接した関係にある冷却領域２４４を含むことができる。荷降ろし部分２４６は冷却領域２４４を越えた所にある。本発明が、上述の特定の形式のガラス焼鈍炉に限定されず、他の形式のガラス焼鈍炉、例えば、箱−型ガラス焼鈍炉と組合せて使用できることは、認められるべきである。その場合、複数の別のコンテナ又は箱の各々は、支持されたガラスをシートを含み、当業者には周知の如く、これらのシートは停止−及び−進行配置（ｓｔｏｐ−ａｎｄ−ｇｏ  ａｒｒａｎｇｅｍｅｎｔ）内でガラス焼鈍炉を通して処理される。
【００５５】
図１４と１５を参照すれば、横方向で対向しかつ長手方向で離間した関係に配列された複数対のスタブロール２５０を含むコンベヤが、ガラス焼鈍炉２３０の全長に延びて、長手方向の基準ラインに沿ったガラス焼鈍炉２３０を通る移動経路を限定する。各スタブロール２５０はシャフト（図示せず）上に据え付けられ、このシャフトはガラス焼鈍炉の側壁を通して延びて、コンベヤ駆動装置（図示せず）に連結される。モールド戻しコンベヤ（図示せず）は、ガラス焼鈍炉全体に沿って延びる。コンベヤは、通常の駆動ロッド及びギヤ手段又はチーエン駆動装置を経て、それら自身の駆動手段によって駆動される幾つかのセクションに分割されることができるか、または、コンベヤセクションは当業者に既知の周知の手法によってクラッチを経て共通の駆動装置から駆動されることができる。複数のモールド支持キャリジ５１（図１５に１つだけ示す）がスタブロール２５０の回転掛合によってコンベヤに沿って運ばれる。
【００５６】
図１５を続けて参照すれば、下部リング又は輪郭モールド２２は、形成レール５２の下に置かれたクロス部材６０によってキャリジ５１上に据え付けられる（図１にも示されている）。形成レール５２は立面図と輪郭において、ガラスシート周囲の僅かに内側で曲げられるべきガラスシート２４と２５に望まれる長手方向と横方向の高さ形状に適合する。図１５に示された輪郭モールド２２は連続した固定形成レール、すなわち、連続した中心部分と端部部分（図１も参照されたい）をもつ。しかし、所望ならば、下部モールド２２は、例えば図７に示されている関節結合輪郭モールドとすることもできる。輪郭モールド２２は、キャリジ５１がプレス曲げステーション２３８内で整列させられて輪郭モールド２２が加圧位置を占めるときに、下部又は輪郭モールド２２の幾何学的中心が、上部形成モールド２０の幾何学的中心とほぼ整列させられるように、キャリジ５１に相対的に置かれる。認められるように、上部及び／又は下部モールドの側壁は、図４乃至６に示された本発明の非限定的実施例につき示されかつ議論された整列配置をもつことができ、図８と９に示された形成レールの型式の何れかをもつことができ、またその組合せをもつことができる。図１５に示される本発明の非限定的実施例では、下部モールド２２は、下部モールド２２の形成レール５２とキャリジ５１の間に延びる横部材６０によって、キャリジ５１に支持されかつ固定される。下部モールド２２は、任意の便利な手法で横部材６０に固定される。当業者によって理解される如く、曲げ及び形成プロセスがたるみ曲げを含むとき、ガラスシートの周縁は形成レール上に支持され、例えば形成レール５２とシートの中心部分は、重力の力を受けて妨げられずに自由にたるむ。
【００５７】
形成レール５２のシート支持表面５４は、下部モールド２２の形成レール５２上に支持されている間にまたはプレス曲げ作業中に、熱ガラスシート２４と２５にマーク付けしない軟質の、耐熱性の可撓性織物（図１５には示されておらず、図１３に明示されている）の１つまたはそれ以上の層で覆われている。
【００５８】
続けて図１５を参照すれば、プレス曲げステーション２３８はまた、持ち上げフレーム２５６を含む。フレーム２５６はスタブロール２５０の間又は下に置かれ、そして特に図１５に示す特定の実施例では、グリッド状外形をもち、これは複数の相互連結された横に延びるビーム２５８（図１５には１つ示されている）と、長手方向に延びるビーム２６０をもっている。要求はされないが、ビーム間のフレーム内の開口は絶縁体（図示せず）で満たされることができる。フレーム２５６は、一連のポスト２６２に固定され、上記ポストはフレーム２５６の下に置かれた持ち上げビーム２６４に据え付けられる。本発明に限定はしないが、図１５に示す特定の実施例では、持ち上げビーム２６４の対向する端２６６はプレス曲げステーション２３８の外に延びて、リフター２６７上に据え付けられており、このリフターはビーム２６４と持ち上げフレーム２５６を昇降させる。この持ち上げフレームは次に、プレス曲げ作業中に、下部キャリジ５１と下部輪郭モールド２２に掛合して、昇降させ、そしてそれらを、第１位置と第２位置の間を動かし、上記第１位置では、下部モールド２２が上部モールド２０から離間しており、上記第２位置では、下部モールド２２の側壁６６が上部モールド２０の側壁４１と接触して、包囲体７２（図２をも参照）を提供して、より詳細に後述するように、上部モールド２０の形成部材２８の覆われたプレス表面４９に対して支持されたガラスシート又はシート２４と２５を位置決めする。持ち上げビーム２６４の垂直移動は、好適には案内によって指向され、例えば、しかし本発明には限定しないが、案内２７０によって指向される。本発明を限定することなしに、リフター２６７は、ボールねじ、液圧シリンダ、又は他の型式のライナーアクチュエーターとすることができる。
【００５９】
上部モールド２０の形成部材のプレス面２９は、例えば、金属又はセラミックとすることができる。プレス面４９は連続領域を覆い、この領域の輪郭は、下部モールド２２の形成レール上に支持されている形成されるべきガラスシート２４と２５の輪郭より僅かに大きい。上部モールド２０の下向きのプレス面４９は、長手方向の曲げ成分に適合するように、ガラス焼鈍炉の幅を横切って立面図でほぼ下向きに凹面をなしており、すなわち、プレス面の表面は凸面をなしてり、ガラスシート２４と２５の周囲を巡る所望のガラス表面輪郭と、ガラスシートの中心領域の所望の輪郭を限定する。形成されるガラスシートに与えられるべき形状の複雑さに依存して、プレス面４９は、更に、所望の横方向の曲げ成分に適合するように、ガラス焼鈍炉の長さの方向において立面図内にＳ形の曲げ成分を含む。
【００６０】
プレス面４９は、耐熱性織物５０（図２を参照）の１つ又はそれ以上の層で覆われることができる。上記織物はプレス曲げ作業の間に熱ガラスシート２４と２５に傷あとを付けない。本発明においては限定はしないが、１非限定的実施例では、プレス面４９は、Ｂｅｋａｅｒｔ  Ｆｉｂｒｅ  Ｔｅｃｈｎｏｌｏｇｉｅｓ，Ｍａｒｉｅｔｔａ，ＧＡ．から市場入手可能の、ステンレス鋼編みのプレス布＃３ＫＮ／Ｃ３の１層によって覆われた、Ｇｌａｓｓ  Ｔｅｃｈ，Ｐｅｒｒｙｓｂｕｒｇ，ＯＨ，から商業的に入手可能な、繊維ガラスプレス布＃Ｓ−１ＮＳ７Ｌ９００６２３０１の１層によって覆われる。
【００６１】
図１５に示す非限定的実施例では、上部モールド２０は、チェーン２８２によって支持プレート２８０からプレス曲げステーション２３８において吊られそして、後述する如く、上部モールド２０の自重はガラスシート２４と２５をプレスするのに使用される。モールド２０は、キャリジ５１が形成ステーション２３８内に位置決めされるときに、その幾何学的中心が輪郭モールド２２の幾何学的中心と垂直に整列させられるように、位置決めされる。整列ピン、又は当業者に周知の又は図４乃至６に示される型式の他の周知型式の整列配置は、加圧作業の間に、下部又は輪郭モールド２２に相対的に上部モールド２０を位置決めするために使用される。細長いロッド、例えば、支持プレート２８０に連結されたピストン又はパイプ２８４は、上昇位置、例えば第１位置と、下部位置、例えば第２位置の間において上部モールド２０を動かす。この場合第１位置では、上部モールド２０と下部モールド２２は互いに離間しており、第２位置では、上部モールド２０と下部モールド２２の側壁は包囲体を提供するために互い接触している。上部モールドが第２位置にある場合、シートの周縁は、支持レールによって、形成部材２８の覆われたプレス面４９に対して偏倚させられる。本実施例に限定はしないが、細長いロッド２８４はまた、上部モールド２０の形成部材２８に正の下向き力を提供するために使用されることができ、そのため、モールド自重と、細長いロッド２８４によって加えられる追加力との組合せによって、ガラスシートの加圧が行なわれる。
【００６２】
（作業サイクル）
本発明の１非限定的実施例では、湾曲した輪郭のかつそれらの間に適当な分割材料をもつ１対のガラスシート２４と２５は、図１５に示すガラス焼鈍炉２３０の負荷領域２３２で、キャリジ５１によって支持された下部輪郭モールド２２の形成レール５２上に実質上水平指向状態で位置決めされている。形成レール５２内の領域は、開放とすることができるか又は、前述の如く、レール５２間にまたがる織物２２２（図１３を参照）をもつことができる。キャリジ５１は、ガラス焼鈍炉２３０を通る長手方向の基準線に関して横方向で整列している。キャリジ５１は、ガラス焼鈍炉２３０の加熱領域２３４を通過し、そこには、加熱素子（図示せず）が、ガラス焼鈍炉２３０を通る下部モールド２２のための進行経路の長手方向と横方向の両者に加熱パターンを提供するように配置されている。下部モールド２２がプレス曲げステーション２３８（１０８０°Ｆ乃至１１５０°Ｆ［５８２°Ｃ乃至６２１℃］の周囲温度範囲に維持されている）に到達するときまで、ガラスシート２４と２５は、それらの変形温度（典型的には、１０７０°Ｆ乃至１１２５°Ｆ［５７７℃乃至６０７℃］）に加熱されており、そして重力によって仮の外形にたるみ、その場合、ガラスシート２４と２５の周囲は、形成レール５２の中心部分５６と端部分５８のレール表面の高さ輪郭にほぼ適合している。下部モールド２２が例えば図７に示す型式の関節結合モールドである本発明の非限定的実施例では、端レール１５６と１５８は、下部モールド２２がプレス曲げステーション２３８に入るときまでには、上方へ旋回させられるだろう。
【００６３】
負荷領域２３２から曲げステーション２３８へ輪郭モールド２２が通る間に、それは長手方向の基準線に関する方位におけるその適切な整列を失うかも知れない。しかし、ガラスシートは一般的に、平面図でみて非均等な湾曲の非方形の輪郭をもちそして複雑な形状に曲げられるので、シートが曲げステーション２３８に到達するときに、予備的に形成されたシート２４と２５を持つ輪郭モールド２２は、上部モールド２０の形成部材２８のプレス面４９の下に方位付けられかつ整列させられることが必須である。図１５を参照すれば、曲げステーション２３８に到達したとき、下部モールド２２がその上に位置決めされている支持キャリジ５１は、もし必要ならば、輪郭モールド２２の幾何学的中心と予備的に形成されたガラスシート２４と２５を、その上昇位置にあるプレス面４９の下で、ほぼ整列させるために、位置変えさせられる。種々の型式の整列システムは当業者に周知であり、ここで、例えば図４乃至６で議論される整列システムとその組合せは、キャリジ５１を曲げステーション１７８内で整列させるために使用することができ、及び／又は輪郭モールド２２を上部モールド２０に関して適切に位置決めするために使用することができる。例えば、しかし本発明に限定することなしに、下部モールドは、それがキャリジ５１上で曲げステーション１７８内へ移動するときに、上部モールド２０に関してほぼ整列することができ、かつ、上部モールドと下部モールドの側壁が、図４乃至６に示される整列配置とその組合せを使用して互いに接触するときに、精密に整列させられることができる。リミットスイッチ（図示せず）は、キャリジ５１がプレス曲げステーション２３８で適切に位置決めされて整列させられないならば、加圧作業は続かないことを確かめるために使用することができる。
【００６４】
ガラスシート２４と２５がその上に支持されている下部モールド２２が適切に整列させられた後に、リフター２６７は持ち上げフレーム２５６を上方へ動かして、キャリジ５１と掛合させる。リフター２６７は、上部モールド２０の形成部材２８のプレス面４９に向けて、スタブロール２５０から離してキャリジ５１を上昇させ続ける。下部モールド２２が上昇させられると、ピストン２８４は上部モールド２０を下降させる。下部モールド２２が上部モールド２０に接近すると、例えば図４乃至６に示す如き整列装置又は、当業者に既知の如き他の同等な装置が、下部モールド２２と共に吊り下げられた上部モールド２０の方位に向き、幾何学的中心が整列させられるようになる。下部モールド２２と上部モールド２０は、形成レールが上部シートの上部表面の周縁部分を覆われたプレス面４９に対して動かすまで、互いに相対的に動き、そして上部モールド２０の側壁と、下部モールド２２の側壁６６は互いに接触して、包囲体７２を形成する（図２を参照）。
【００６５】
上部と下部のモールドの側壁が互いに接触しかつ上部シート２４の周縁が形成レールによって覆われたプレス面に対して偏倚させられている状態で、真空が導管４８、プレナム４６及び通路４４を通して、また任意に、導管１９８、サブプレナム１９３及び通路１９２（図１０をも参照）を通して、包囲体７２内に引き入れられる。空気がチャンバ７２から引かれると、チャンバ７２内の負圧がプレスステーション２３８内の空気にガラスシート２５の下面を偏倚させて、ガラスシート２４と２５の中心と縁を上部モールド２０の形成部材２８のプレス面に対して持ち上げて、ガラスシート２４と２５の形成を完了させるようにする。シートと被覆されたプレス面間の空気は、布の織目を通して引かれる。
【００６６】
シート２４と２５が形成された後、真空の吸引は中断され、シート２４と２５は下部モールド２２の形成レール５２上に落ちる。任意に加熱された加圧空気は、導管１９８を加熱加圧された空気供給源２０２へ連結することによって、通路１９２を通して動かされることができる（図１０を参照）。形成レール５２上にシートがある状態で、下部モールド２２、持上げフレーム２５６及び持上げビーム２６４は下げられ、キャリジ５１はスタブロール２５０上に再置させられる。同様に、上部モールド２０は、ピストン２８４によって、その最初の又は第１の位置に持上げられる。下部モールド２２がスタブロール２５０上に再置されると、ガラス焼きなまし炉ドア２４３は開き、そしてスタブロール２５０は、形成されたガラスシート２４と２５と、下部モールド２２を形成ステーション３８の外へそして焼鈍領域２４０内へ運ぶようにされる。そのとき、ドア２４３は次の曲げ及び形成サイクルのために閉ざされる。
【００６７】
上述の本発明の非限定的実施例が、スタブロール２５０に加圧負荷を適用することを避けることは認められるべきである。更に特に、キャリジ５１をスタブロール２５０から離れるように持上げる持上げフレーム２５６を使用することによって、加圧中に上部モールド２０（及び随意に、ピストン２８４）によって、下部モールド２２に加えられる負荷はスタブロール２５０よりはむしろ、持上げビーム２６４とリフター２６７に伝達される。
【００６８】
一旦ガラスシート２４と２５が加圧ステーション２３８内で形成されてしまうと、それらは、変形温度範囲内からガラスの歪点より下まで冷却されるまで、焼鈍領域２４０内でそれらの適合する形状を保持する必要がある。その温度はフロート（ｆｌｏａｔ）ガラスではほぼ９５０°Ｆ（５１０℃）である。ガラスシート間の過剰の永久歪みを避ける最大冷却速度は、数あるファクターの中で、ガラスシート厚さに依存する。焼鈍の後、ガラスシートは、追加冷却のために冷却領域２４４内へ入る。
【００６９】
上部と下部のモールドの移動は、他の曲げ作業系列を提供するために変更され得ることは認められるべきである。例えば、そして本発明を限定することなしに、上部モールド２０は静止状態に留まることができ、そしてリフター２６７は、下部モールド２２とガラスシート２４と２５を、上述の如くガラスシートを加圧するのに十分な距離上方へ動かすために使用することができる。もう１つの非限定的な別の実施例では、下部モールド２２がスタブロール２５０上に留まっている間に、ピストン２８４は上部モールド２０を下方へ動かすために使用されることができる。
【００７０】
図１６に示す本発明の非限定的実施例では、単一の又は積重ねられたガラスシート３００が、一連のコンベヤロール３０４上に炉３０２を通して運ばれる。熱軟化したガラスシートが形成ステーション３０６に到達したとき、シートは、例えば、形成された掛合表面を任意にもつ真空シャトル３１０によって、ロールから下部リングモールド３０８上へ運ばれる。リングモールド３０８は、図１に示す下部モールド２２、又は図７に示される下部モールド１４８に類似している。その後、図１に示された上部モールド２００に類似したリングモールド３０８と上部モールド３１０は、例えば、ガラスシートの回りに包囲体を形成するために、図１５に示される加圧ステーション２３８を用いてモールド２０と２２を動かすために議論したように、任意の通常の手法によって、互いに相対的に動かされる。シートが形成された後、シートは、任意の通常の手法で下部モールド３０８から除かれて、制御可能に冷却され、例えば、形成されたシートをガラス焼鈍炉を通して動かす。
【００７１】
図１７を参照すれば、本発明のもう１つの非限定的実施例が示されている。図１７では、加圧チャンバ３１６は、通路３２２をもつピストン３２０上に据え付けられた形成レール３１８をもち、上記通路を通して周囲空気は自由に移動する。熱軟化したシート２４と２５が任意の通常の手法で、形成レール３１８上に置かれた後、ピストン３２０はシートを上方へ移動させて、シートの周縁部分を上部モールド３２６の布被覆されたプレス面３２４に対して偏倚させる。閉鎖壁３２８と、加圧ステーションの入口と出口端にあるドア３３０（図１７には１つだけを示す）は、加圧チャンバ３１６に入る空気の移動を封鎖するか又は最少限となす。加圧チャンバが封鎖された後、加圧チャンバ３１６内の空気が導管３３４を通して真空設備３３２によって、引き出される。チャンバから引き出された空気は、シート間からそして頂上のシート２４と被覆されたプレスシート３２４の間から空気を移動させる。ピストンの通路３２２内の空気は、シートを形成するために、被覆されたプレス面３２４に対してシートを偏倚させる。シートが形成された後、真空設備３３２が遮断され、ピストン３２２が下げられる。ピストン３２２が着座させられた後、加圧チャンバ３２２へ通じるドアが開かれそして、次の組のシートがチャンバ３２２内へ移動しそして形成レール上に置かれるので、形成されたシートが形成レールとチャンバ３２２から除かれる。
【００７２】
当業者によって認められる如く、シートを加圧ステーション内へ移動させかつモールドを上昇及び／又は下降させるための関連した設備と装置は、明瞭化の目的で、図１６と１７から除去されており、図１乃至１５に示された及び／又はここで議論された装置と持上げ配置の何れも使用されることができる。
【００７３】
ガラスシートが形成された後、それらのシートは、住宅及び車輌の透明性へ向けて、任意の便利な手法で引き続き処理されることができ、例えば、しかし本発明をそれに限定することなしに、任意の便利な手法で、例えば、米国特許第４，３６７，１０７；４９９８，７８４及び５，３５５，１４４号内で議論されている如く積層され、これらの特許は、この結果、参考として自動車の透明性、例えば、自動車の積層風防ガラス及び積層側灯及びバックライトへ具体化される。
【００７４】
本開示内容に示されかつ記載された本発明の形態は、本発明の例示的な、非限定的実施例を説明するものである。以下の請求範囲記載の主題によって限定される本発明の教示から逸脱することなく、種々の変更を成し得ることは言うまでもない。
【図面の簡単な説明】
【００７５】
【図１】下部形成モールドから離間した上部形成モールドの正射投影法図の部分横断面図で、上部と下部モールドは本発明の非限定的実施例を組み込んでいる。
【図２】図１に示す上部と下部のモールドの横断端面図で、本発明の開示に従って包囲体を形成するために、両モールドの側壁は互いに接触している。
【図３】包囲体を提供するために使用される本発明の非限定的実施例の１側壁の分解横断端面図である。
【図４】包囲体を提供するために使用される本発明の非限定的実施例の別の１側壁の分解横断端面図である。
【図５】包囲体を提供するために使用される本発明の非限定的実施例の更に別の１側壁の分解横断端面図である。
【図６】包囲体を提供するために使用される本発明の非限定的実施例の更に別の１側壁の分解横断端面図である。
【図７】図２に類似の図で、本発明の開示に従ってシートを形成するための、本発明の上部と下部のモールドのもう１つの非限定的実施例を示す図である。
【図８】本発明の開示に従って上部と下部のモールド間に包囲体を提供するために本発明の非限定的実施例を示す分解横断端面図である。
【図９】本発明の開示に従って上部と下部のモールド間に包囲体を設定するために本発明のもう１つの非限定的実施例を示す図８に類似の図である。
【図１０】特に上部モールドの形成部材を通して空気を引くための及び加圧空気を動かすための本発明の非限定的実施例を示す上部モールドの分解横断端面図である。
【図１１】本発明の開示に従って上部モールドの形成部材を通過する通路をもつ上部モールドの非限定的実施例を示す分解横断面図である。
【図１２】図１１に示すモールドのプレス面の分解横断面図である。
【図１３】本発明の開示に従って下部モールドの表面上に網ワイヤをもつ下部モールドの分解横断端面図である。
【図１４Ａ】本発明のガラスシートを曲げるガラス焼鈍炉配置の長手方向側面図で、プレス曲げステーションの上流側のガラス焼鈍炉配置の一部を示す図である。
【図１４Ｂ】本発明のガラスシートを曲げるガラス焼鈍炉配置の長手方向側面図で、プレス曲げステーションの下流側のガラス焼鈍炉配置の一部を示す図である。
【図１５】図１４Ａの線１５−１５に沿った図で、図１４に示すガラス焼鈍炉配置のプレス曲げステーションの横断立面図を示し、これは本発明の特徴を組み込みかつ下位置に示された下部輪郭モールドと、全表面上部モールドの非限定的実施例を含んでいる。
【図１６】本発明のガラスシートを曲げるガラス焼鈍炉の上流側配置の長手方向側面図である。
【図１７】図２に類似した図で、本発明に従ったプレスステーションのもう１つの非限定的実施例を示す図である。
【符号の説明】
【００７６】
２０  上部形成モールド
２２  下部リング又は輪郭モールド
２４  上部ガラスシート
２５  下部ガラスシート
２８  形成部材
３０、１２７  プレート部材
４６  プレナム
５１  キャリジ
５２  形成レール
５４  シート支持面
７２、８６  包囲体
８２  形成レール
８８、９３、１２８  上部モールド
９０、１３０  下部モールド
１５６，１５８  端レール
１９６  二方弁
２０６  真空設備
２３８  プレス曲げステーション
２６４  持ち上げビーム
２８０  支持プレート
３３２  真空設備
【図１】
2007533592.tif 000003
【図２】
2007533592.tif 000004
【図３】
2007533592.tif 000005
【図４】
2007533592.tif 000006
【図５】
2007533592.tif 000007
【図６】
2007533592.tif 000008
【図７】
2007533592.tif 000009
【図８】
2007533592.tif 000010
【図９】
2007533592.tif 000011
【図１０】
2007533592.tif 000012
【図１１】
2007533592.tif 000013
【図１２】
2007533592.tif 000014
【図１３】
2007533592.tif 000015
【図１４ａ】
2007533592.tif 000016
【図１４ｂ】
2007533592.tif 000017
【図１５】
2007533592.tif 000018
【図１６】
2007533592.tif 000019
【図１７】
2007533592.tif 000020
【手続補正書】
【提出日】平成17年6月26日(2005.6.26)
【手続補正１】
【補正対象書類名】特許請求の範囲
【補正対象項目名】全文
【補正方法】変更
【補正の内容】
【特許請求の範囲】
【請求項１】
シート曲げ装置であって：
主表面をもつ第１形成モールド（２０）を含み、主表面の一部は予定の形成されたプレス面（４９）をもつ形成部材（２８）を含んでおり；
第２モールドと定義される輪郭形成モールド（２２）を含み、第２モールド（２２）は離間した端レール間に、１対の離間した端レール（５８）と１対の離間した中心レール（５６）をもっており、離間した端レール対と離間した中心レール対は、開放領域の回りに境界を限定しておりかつ端レールと中心レールの部分はシート支持表面（５４）を提供しており；
第１と第２のモールド間の外壁（４１，６６）を含んでおり、外壁は外壁によって限定された境界内にシート支持表面と共に境界を限定しており；
第１位置と第２位置の間で第１と第２のモールドをお互いに関して動かすために第１と第２のモールドのうちの少なくとも一方に作用するエレベータ配置（２３０，２８４）を含んでおり、この場合、上記第１位置では、第１と第２のモールドは互いに離間しており、外壁は第１と第２のモールドの内の少なくとも一方から離間しており、上記第２位置では、第１と第２のモールド及び外壁は、第２モールドのシート支持表面をもつ包囲体を形成しており、そして第１モールドの形成部材は包囲体に面しており、周囲空気は少なくとも開放領域を通して包囲体へ出入りすることが可能であり、そして
包囲体と流体接触した第１端と包囲体外の第２の反対端とをもつ開放領域以外の少なくとも１つの通路（４８）を含む、
シート曲げ装置。
【請求項２】
第２モールドの端レールと中心レールが連続していて、連続したシート支持表面を形成している、請求項１に記載の曲げ装置。
【請求項３】
中心レールは所定位置に固定され、端レールは第１位置から第２位置へ旋回するように枢着されており、この場合、第１位置では、端レールと中心レールがシートにほぼ水平の支持を提供し、第２位置では、端レールの端の部分が中心レールより上に持上げられている、請求項１に記載の曲げ装置。
【請求項４】
外壁は、第１モールドの第２の主表面に据え付けられている、請求項１に記載の曲げ装置。
【請求項５】
外壁は、第１モールドの形成部材を取り囲みかつその形成部材から離間している、請求項４に記載の曲げ装置。
【請求項６】
外壁は中心レールと端レールに据え付けられている、請求項１に記載の曲げ装置。
【請求項７】
外壁は、整列配置の１部をもち、第１モールド及び／又は第２モールドは整列配置のもう１つの部分をもっている、請求項１に記載の曲げ装置。
【請求項８】
中心レールと端レールは、“Ｔ”レールと定義される“Ｔ”形横断面をもち、この場合、“Ｔ”レールの水平部材はシート支持表面をもっている、請求項７に記載の曲げ装置。
【請求項９】
外壁は、“Ｔ”レールの水平部材の外表面に連結されていて、“Ｔ”レールから離れるように延びている、請求項８に記載の曲げ装置。
【請求項１０】
外壁は、“Ｔ”レールの水平部材に連結されそして“Ｔ”レールと開放領域から離れるように延びている、請求項８に記載の曲げ装置。
【請求項１１】
シート支持表面は、開放領域に隣接した“Ｔ”レールの水平部材の一部であり、外壁は、開放領域から最も遠い“Ｔ”の水平部材の一部である、請求項８に記載の曲げ装置。
【請求項１２】
中心レールと端レールは、“Ｉ”レールと定義される“Ｉ”形横断面をもち、そして“Ｉ”レールの上端は、シート支持表面であり、外壁は“Ｉ”レールの外側垂直表面に据え付けられた一端をもち、“Ｉ”レールと開放領域から離れるように延びている、請求項６に記載の曲げ装置。
【請求項１３】
第１形成モールドは更に、第１の主表面と第２の反対側の主表面をもつプレート部材を含み、この場合、形成部材をもつ第１モールドの主表面は、プレート部材の第２表面であり、そして形成部材は、プレート部材の第２表面、プレート部材の第１表面の一部上のプレナムから離れるように延び、少なくとも１つの通路は、複数の離間した通路のうちの１つであり、この場合複数の通路のうちの選択されたものは、形成部材から離間した位置で包囲体の内部と流体接触している第１端と、プレナムの内部と流体接触している第２端をもっている、請求項１に記載の曲げ装置。
【請求項１４】
形成モールドは更に、第１主表面をもつプレート部材と、第２の反対側の主表面をもつプレート部材を含み、この場合、形成部材をもつ第１モールドに主表面は、プレート部材の第２の表面であり、そして形成部材はプレート部材の第２表面、プレート部材の第１の表面の一部上のプレナムから離れるように延びており、少なくとも１つの通路は複数の離間した通路のうちの１つであり、この場合、複数の通路のうちの選択されたものは、形成部材の周縁部分に沿った位置で包囲体の内部と流体接触している第１端と、プレナムの内部と流体接触している第２端とをもっている、請求項１に記載の曲げ装置。
【請求項１５】
少なくとも１つの通路は、複数の通路のうちの１つであり、この場合、第１と第２のモールド及び外壁が第２位置にあるとき、通路のうちの選択された１つは、第１モールドの形成部材の少なくとも１つの周縁に隣接した第１端をもち、この場合、通路のうちの選択されたものは、外壁と、外壁の外表面にある又はその外表面を越えて延びる通路のうちの選択されたものの第２端を通過する、請求項１に記載の曲げ装置。
【請求項１６】
少なくとも１つの通路は、複数の通路のうちの１つであり、この場合、通路のうちの選択されたものは、第１と第２のモールドと外壁が第２の位置にあるときに、形成部材の周縁に隣接した第１端をもち、この場合、複数の通路のうちの選択されたものは第２モールドと、第２モールドの外部から出入可能の複数の通路のうちの選択されたものの第２端とを通過する、請求項１に記載の曲げ装置。
【請求項１７】
形成部材はプレス面をもち、少なくとも１つの通路は、複数の通路のうちの１つであり、更に、第２の複数の通路を含み、第２の複数の通路は、形成部材のプレス面に第１端をもち、第２の複数の通路は形成部材を通過する、請求項１に記載の曲げ装置。
【請求項１８】
第２の複数の通路は、第２の反対側の端をもち、更に、第１の複数の通路の第２端上に第１のプレナムを、そして第２の複数の通路の第２端上に第２のプレナムを含む、請求項１７に記載の曲げ装置。
【請求項１９】
第２のプレナムは第１プレナムの内側にあり、第１プレナムは、真空ポンプに導管によって連結され、第２プレナムは、導管によって弁に連結されており、上記弁は第１の開放位置と第２の開放位置をもち、この場合、弁は第１の開放位置で、導管によって真空ポンプに連結され、また、弁は第２位置で加圧流体系統に導管によって連結される、請求項１８に記載の曲げ装置。
【請求項２０】
形成部材のプレス面の上にしっかり据え付けられた網布を更に含み、この網布は、予定距離の間隔を提供するために予定の織り目をもち、この場合、第２の複数の通路の第１端の開口は、第２の複数の通路の第２端に重なる網布の織り目の間隔に等しいか又はその間隔より小さい、請求項１７に記載の曲げ装置。
【請求項２１】
第２の複数の通路は、第１端に対向する第２端をもち、第２の複数の通路のうちの少なくとも１つの通路は、プレス面に第２端の開口より大きい第１端の開口をもち、そして更に第２の複数の通路の少なくとも１つの第２端の開口内に貫通据え付けされた複数の離間した孔をもつプレートを含む、請求項１７に記載の曲げ装置。
【請求項２２】
形成部材のプレス面上にしっかり据え付けられた網布を更に含み、この網布は予定開口の間隔を提供する予定の織り目をもち、この場合、プレート内の孔の開口の寸法は、プレート内の孔に重なる網布内の開口の寸法に等しいか又はそれより小さい、請求項２１に記載の曲げ装置。
【請求項２３】
形成部材はプレス面を含み、更に、第１モールドの形成部材のプレス面上にしっかり据え付けられた網布と、第２モールドの少なくともシート支持表面を含む、請求項１に記載の曲げ装置。
【請求項２４】
第１モールドは加圧ステーション内に据え付けられており、加圧ステーションは上流端と下流端をもち、更に、加圧ステーションの上流端に連結された加熱炉、加圧ステーションの下流端に連結された冷却炉、及び運搬系統を含み、この運搬系統は、加熱熱炉、加圧ステーション及び冷却炉を通して延びていて、第２モールドを加熱炉、加圧ステーション及び冷却炉を通る経路に沿って動かすようになっている、請求項１に記載の曲げ装置。
【請求項２５】
加圧ステーションは更に、第１モールドを加圧ステーション内の運搬系統の一部に向かったり離れたりするように動かす上部の細長いロッドと、第１モールドに向かったり離れたりするように動くことができる下部の細長いロッドを含む、請求項２３に記載の曲げ装置。
【請求項２６】
経路に沿って運搬系統によって動くことができるキャリジを更に含み、この場合、第２モールドは、第２モールドを加熱炉、加圧ステーション、及び冷却炉を通して動かすために、キャリジ上に据え付けられており、この場合、加圧ステーション内へ動かされるキャリジは第１位置にあり、そして下部の細長いロッドは、第２モールドを第１モールドへ向かって動かして、第２モールド、第１モールド及び外壁を第２位置に位置決めする、請求項２５に記載の曲げ装置。
【請求項２７】
第１モールドと第２モールドは、加圧ステーションに据え付けられており、加圧ステーションは、上流端と下流端をもち、更に加圧ステーションの上流端に連結された加熱炉、上記炉の下流端に連結された冷却炉、加熱炉と冷却炉を通して延びるシート運搬系統、及び上流側のシート移送装置を含み、上記移送装置は、加熱炉内の運搬系統の一部の上の位置から第２モールドの上の位置まで動くように据え付けられている、請求項１に記載の曲げ装置。
【請求項２８】
第２モールドの上の位置から、冷却炉内の運搬系統の一部の上の位置までの間を移動するために据え付けられた下流側移送装置を更に含む、請求項２７に記載の曲げ装置。
【請求項２９】
外壁、入口端、出口端、入口ドア及び出口ドアをもつチャンバ（２３８）を含み；
チャンバ内に据え付けられた第１形成モールド（２０）を含み、第１形成モールドは、予定の形成されたプレス面（１４９）をもつ形成部材（２８）をもつ主表面をもち；
第１モールドに対して対面関係でチャンバ内に据え付けられた第２モールドと定義された輪郭形成モールド（２２）を含み、第２モールドは、１対の離間した端レール（５８）と、離間した端レール間の１対の離間した中心レール（５６）をもち、この場合、端レールと中心レールの部分は、シート支持表面（５４）の境界内に開放領域をもつシート支持表面を提供し；
シート受け入れ位置とシート加圧位置の間で互いに相対的に第１と第２のモールドを動かすために第１と第２のモールドのうちの少なくとも１つに作用するエレベータ配置（２８４，２６７）を含み、上記シート受け入れ位置では第１と第２のモールドは、互いに離間しており、上記シート加圧位置では，第１と第２のモールドは、第１位置にあるときよりは互いに接近しており；更に、
加圧チャンバの内部に連結された真空ポンプ（２０６）を含み、そして
形成レールと空気供給源に連結された反対端との間に開放領域に連結された一端をもつ導管（１９２）を含む、シート曲げ装置。
【請求項３０】
主表面（１０５）をもつ形成モールドと、
輪郭形成モールド（１０９）と、
エレベータ配置（１０６）と、
を含むシート曲げ装置において、
２つのモールド間に限定される包囲体と、
包囲体を限定するモールドの一部をなす外壁と、
真空を適用するために包囲体に設けられる１つの通路と、
を特徴とするシート曲げ装置。
【請求項３１】
形成モールドにおいて、
形成された加圧面と反対側の主表面とをもつ形成部材を含み、
形成部材を通して延びる少なくとも１つの通路を含み、上記通路は、加圧面で終端する一端と主表面で終端する反対端をもち、端は予定の開放領域をもつ加圧面で終端し、そして
加圧面を覆う布を含み、この場合、布の一部は、形成部材の加圧面で終端する通路の端に重なっており、この場合、通路の端に重なっている部分にある布の織り目の開放領域は、通路の予定の開放領域と等しいか又はそれより大きい予定の開放領域をもっている、形成モールド。
【請求項３２】
シートを曲げる方法において、
１つ又はそれ以上のシートの積重ね体の第１の主表面として限定される主表面の周縁部分に掛合し；
形成部材のプレス面に対して第２の主表面として限定されるシートの積重ね体の反対側の主表面を動かし、
プレス面と第２の主表面の間から空気を少なくとも吸引するために、積重ね体の周縁に真空を適用し、
同時に、
シートの積重ね体を予定形状に曲げるために、形成部材のプレス面に対して積重ね体を偏倚させるために第１の主表面に圧力を適用する工程、
を含むシートを曲げる方法。
【請求項３３】
シートはガラスシートであり、積重ね体は２枚のカラスシートの積重ね体であり、更に、下記の工程、すなわち、
掛合工程の実施の前に、シートの積重ね体をそれらの変形温度に加熱し、そして、
シートが予定形状に曲げられた後に、真空工程の適用と圧力工程の適用の実施を中断し、そして、
形成されたシートをプレス面から転移させ、そして
形成されたガラスシートを制御可能に冷却する工程を実施すること、
を含む請求項３２に記載の方法。
【請求項３４】
プレス面に対して第２の主表面の中心部分を偏倚させるためにプレス面を通して真空を吸引し、この場合、上記転移させる工程は、形成部材のプレス面からシートを離すように動かすために、第２の主表面の中心部分に対して加圧空気を移動させる工程を含む、
請求項３３に記載の方法。
【請求項３５】
積層された自動車窓を提供するために、形成されたガラスシートを積層させる工程を更に含む、請求項３３に記載の方法。
【請求項３６】
第２の主表面の中心部分をプレス面に対して偏倚させるために、プレス面を通して真空を吸引する工程を更に含む、請求項３４に記載の方法。
【請求項３７】
シートが予定形状に曲げられた後に、真空工程を適用する工程、真空工程を吸引する工程及び圧力工程を適用する工程の実施、及び
形成されたシートをプレス面から離れるように動かすために、加圧され加熱された空気を、形成されたシートの第１の主表面の中心部分に対して動かし、そして、
形成されたガラスシートを制御可能に冷却する工程の実施、
を中断する請求項３６に記載の方法。
【請求項３８】
請求項３５の方法に従って作られた自動車窓。
【国際調査報告】
2007533592.tif 000021
2007533592.tif 000022
2007533592.tif 000023
2007533592.tif 000024